(57)【要約】【課題】捕虫ランプから放射される放射光の放射範囲を規制し、電撃殺虫器に誘引する必要ない虫の増加を防ぐことを課題とする。【解決手段】  下部に配置した虫受け皿と、当該虫受け皿の上部に架設した電撃格子と、当該電撃格子の前後に並列して架設した捕虫ランプと、当該捕虫ランプの外側に設置した保護カバーとからなる電撃殺虫器において、前記保護カバーの上部表面に遮光板を覆設し、前記遮光板の下縁の位置を、前記捕虫ランプの下縁よりも下側であって、前記保護カバーの高さ方向の中心よりも上側としたことを特徴とする遮光板付電撃殺虫器により上記課題を解決した。【選択図】図１
0003162013.tif 000002
【実用新案登録請求の範囲】
【請求項１】
下部に配置した虫受け皿と、当該虫受け皿の上部に架設した電撃格子と、当該電撃格子の前後に並列して架設した捕虫ランプと、当該捕虫ランプの外側に設置した保護カバーとからなる電撃殺虫器において、
前記保護カバーの上部表面に遮光板を覆設し、
前記遮光板の下縁の位置を、前記捕虫ランプの下縁よりも下側であって、前記保護カバーの高さ方向の中心よりも上側とした
ことを特徴とする遮光板付電撃殺虫器。
【請求項２】
遮光板の下縁を、捕虫ランプの下縁よりも下側とし、
前記遮光板の下縁を通過する水平線に対し、前記遮光板の下縁と前記捕虫ランプの下縁とを結ぶ線が１０°〜２０°下向き傾斜となる保護カバーの位置に配置した
ことを特徴とする請求項１記載の遮光板付電撃殺虫器。
【請求項３】
請求項１又は２記載の遮光板付電撃殺虫器において、一方の保護カバーの表面全体に遮光板を覆設した
ことを特徴とする遮光板付電撃殺虫器。
【考案の詳細な説明】
【技術分野】
【０００１】
本考案は、電撃格子を用いた殺虫器に関し、特に、捕虫ランプから放射される放射光の放射範囲を規制する遮光板を備えた遮光板付電撃殺虫器に関する。
【背景技術】
【０００２】
従来、運動施設、店舗、及び厨房等において、害虫の侵入を防止し、かつ駆除を目的とする装置として例えば、特許文献１に示すように電撃殺虫器が知られている。特許文献１によれば、電撃殺虫器は前面開口の略直方体の内部に紫外線を放射する誘虫灯を備え、虫の走光性を利用して電撃殺虫器内に誘い込み、電撃格子により殺虫する技術が開示されている。
【０００３】
また、出願人は、電撃格子により殺虫した虫が飛散、落下することを防ぐため、虫受皿の縁部へ捕虫シートを電撃格子と並列して立設した電撃殺虫器を提案している（特許文献３）。
【０００４】
さらに、特許文献２によれば、虫駆除器の前後側を不透孔性仕切で仕切り、屋内側空間部と屋外側空間部を構成し、屋内側空間部に誘虫ランプと虫駆除手段を設け、屋外空間部に虫よけランプを設置することで、屋外側の虫を屋内側に誘引することなく、屋内側の虫を駆除することができる虫駆除器が開示されている。
【先行技術文献】
【特許文献】
【０００５】
【特許文献１】特開２００１−２５２０００
【特許文献２】特開２００２−１５９２５１
【特許文献３】実用新案登録第３１０２５５４号公報
【考案の概要】
【考案が解決しようとする課題】
【０００６】
従来技術の電撃殺虫器は、虫の走光性を利用するため捕虫ランプを使用している。虫の多くは紫外線領域の波長に高い走光性を示すため、捕虫ランプには近紫外線が採用されている。
【０００７】
上述の電撃殺虫器において、図３（ｂ）に示すように、電撃殺虫器１の捕虫ランプ２から放射される光は、電撃殺虫器１の開口６から広範囲（放射領域７ａ〜７ｃ、７ｄ〜７ｆ）の空間に亘って放射される。従って、本来放射する必要のない放射領域７ｃに放射光が放射されることにより、放射領域７ｃ内に浮遊している誘引する必要のない虫８まで誘引することになる。従って屋外、特に店舗の軒下に設置する電撃殺虫器の場合、電撃殺虫器１に誘引される虫が増加して、電殺されずに店舗等の屋内に侵入する虫が増加するおそれがある。
【課題を解決するための手段】
【０００８】
上記課題を解決するため、以下の電撃殺虫器を提案する。
【０００９】
請求項１の考案は、
下部に配置した虫受け皿と、当該虫受け皿の上部に架設した電撃格子と、当該電撃格子の前後に並列して架設した捕虫ランプと、当該捕虫ランプの外側に設置した保護カバーとからなる電撃殺虫器において、
前記保護カバーの上部表面に遮光板を覆設し、
前記遮光板の下縁の位置を、前記捕虫ランプの下縁よりも下側であって、前記保護カバーの高さ方向の中心よりも上側とした
ことを特徴とする遮光板付電撃殺虫器である。
【００１０】
請求項２の考案は、
遮光板の下縁を、捕虫ランプの下縁よりも下側とし、
前記遮光板の下縁を通過する水平線に対し、前記遮光板の下縁と前記捕虫ランプの下縁とを結ぶ線が１０°〜２０°下向き傾斜となる保護カバーの位置に配置した
ことを特徴とする請求項１記載の遮光板付電撃殺虫器である。
【００１１】
請求項３の考案は、
請求項１又は２記載の遮光板付電撃殺虫器において、一方の保護カバーの表面全体に遮光板を覆設した
ことを特徴とする遮光板付電撃殺虫器
【考案の効果】
【００１２】
本考案によれば、捕虫ランプから放射される放射光の放射範囲を規制することにより、本来放射する必要のない放射領域内に浮遊する虫を誘引することがなくなり、電撃殺虫器に誘引する虫の増加を抑え、電殺されずに店舗等の内部に侵入する虫の増加を抑える効果がある。
【図面の簡単な説明】
【００１３】
【図１】（ａ）本考案に係る遮光板付電撃殺虫器の斜視図、（ｂ）同じく設置状態を示す概略図。
【図２】（ａ）本考案の遮光板付電撃殺虫器の縦断面概略図であって、放射光の放射範囲を示す図、（ｂ）本考案の他の実施例に係る遮光板付電撃殺虫器の縦断面概略図。
【図３】（ａ）従来の電撃殺虫器の正面図、（ｂ）同じく設置状態を示す概略図。
【考案を実施するための形態】
【００１４】
本考案の遮光板付電撃殺虫器の形状は、例えば略直方体であり外形に限定はない。下部に虫受け皿を設置し、前後に開口を設け、前記開口を覆うように保護カバーが取り付けてある。また、その内部中央に電撃格子が架設され、前記電撃格子の前後に捕虫ランプが並列して架設してある（図１（ａ））。
【００１５】
前記捕虫ランプは、従来公知である虫の誘引効果が高い近紫外線の波長（３６５ｎｍ）を放射する蛍光ランプを使用する。
【００１６】
前記保護カバーの上端部に、ステンレス鋼からなる遮光板の基端部を掛止させる。また、前記遮光板の下縁が捕虫ランプの下縁よりも下側であって、保護カバーの高さ方向の中心よりも上側に位置するように、前記保護カバーに遮光板を覆設する（図１（ａ）、図２（ａ））。
【００１７】
前記遮光板付電撃殺虫器の捕虫ランプから放射される放射光の範囲は、図１（ｂ）に示すように、放射領域１１ａ〜１１ｄの範囲となる。従って、従来の電撃殺虫器とは異なり、放射領域１１ａ及び放射領域１１ｃよりも上方の空間を浮遊する虫を誘引することがないので、電撃殺虫器に誘引する虫の増加を抑え、電殺されずに店舗等の内部に侵入する虫の増加を抑えることができる。
【実施例】
【００１８】
本考案の実施例を図１及び図２に基づいて説明する。
【００１９】
本考案の遮光板付電撃殺虫器９の形状は略直方体であり、下部に虫受け皿３を設置し、前後に開口６、６を設け、開口６、６を覆うように保護カバー５、５が取り付けてある。また、その内部中央に電撃格子４が架設され、電撃格子４の前後に直管型の捕虫ランプ２、２が並列して架設してある（図１）。
【００２０】
捕虫ランプ２は、従来公知である虫の誘引効果が高い近紫外線の波長を放射する蛍光ランプを使用する。
【００２１】
また、電撃格子４には高圧トランスが接続されており（不図示）、所定の電圧が設定されている。
【００２２】
保護カバー５、５の上端部に、ステンレス鋼からなる遮光板１０、１０の基端部を掛止させる。また、遮光板１０、１０の下縁が捕虫ランプ２、２の下縁よりも下側であって、保護カバー５、５の高さ方向の中心よりも上側に位置するように、保護カバー５、５に遮光板１０、１０を覆設する（図１）。
【００２３】
このとき、遮光板１０、１０の下縁を通過する水平線に対し、遮光板１０、１０の下縁と捕虫ランプ２、２の下縁とを結ぶ線が１０°〜２０°下向き傾斜となる保護カバー５、５の位置に遮光板１０、１０の下縁を配置することが好ましい（図２（ａ））。これは架設する捕虫ランプの位置によっても定めることができる。
【００２４】
前記構成からなる遮光板付電撃殺虫器９を店舗１２の軒先にチェーン１３で吊して設置して、捕虫ランプ２、２を点灯させる（図１（ｂ））。
【００２５】
この時、捕虫ランプ２、２から放射される放射光の範囲は放射領域１１ａ〜１１ｄとなる（図１（ｂ））。放射領域１１ａ〜１１ｄに浮遊する虫８は、その走光性に従い、遮光板付電撃殺虫器９に誘引される。誘引された虫８は開口６から内部に侵入し、電撃格子４に接触すると電撃により虫８は電殺される。電殺された虫８は虫受け皿３で捕集される。
【００２６】
放射光の放射領域は１１ａ〜１１ｄの限られた領域であるので、放射領域１１ａよりも上方の領域内を浮遊する虫８には放射光は届かず、遮光板付電撃殺虫器９に誘引されることはない（図１（ｂ））。従って、遮光板付電撃殺虫器９に誘引する虫８の増加を抑え、電殺されずに店舗１２の内部に侵入する虫８の増加を抑えることができる。
【００２７】
なお、遮光板１０、１０のうち、一方側の保護カバー５全体を覆うように覆設した遮光板１０ａとする構成としてもよい（図２（ｂ））し、又は一方の遮光板１０は覆設せず、他方側の保護カバー５にのみ遮光板１０ａを覆設した構成としてもよい（不図示）。これらの構成は電撃殺虫器の設置場所により適宜選択することができる。
【符号の説明】
【００２８】
１  電撃殺虫器
２  捕虫ランプ
３  虫受け皿
４  電撃格子
５  保護カバー
６  開口
７ａ、７ｂ、７ｃ、７ｄ、７ｅ、７ｆ  放射領域
８  虫
９  遮光板付電撃殺虫器
１０、１０ａ  遮光板
１１ａ、１１ｂ、１１ｃ、１１ｄ  放射領域
１２  店舗
１３  チェーン
【図１】
0003162013.tif 000003
【図２】
0003162013.tif 000004
【図３】
0003162013.tif 000005